(57)【要約】【課題】紙幣挿入口から挿入された紙幣を紙幣識別装置で識別してメダルを払い出すメダル貸機において、故障した紙幣識別装置への紙幣の挿入ができないようにカバーを設けて遊技者が故障した紙幣識別装置へ紙幣を挿入しないように保護する。そして、このカバーの取り付けの容易さを考慮し、また、このカバーの取り外しは、遊技装置の管理者がメダル貸機の施錠解除をすることによって行えるようにし、遊技者によるカバーの取り外しを防止して、遊技装置の管理効果を図るものである。【解決手段】紙幣識別装置の紙幣挿入口を閉塞する着脱式のカバーを設け、このカバーは、紙幣挿入口の前方からの押し圧によって紙幣挿入口へ係止する係止部を備え、カバーの取り外しはメダル貸機の施錠解除によって可能としたことを特徴とする。【選択図】      図７
2004305612.tif 000002
【特許請求の範囲】
【請求項１】
紙幣挿入部から挿入された紙幣を紙幣識別装置にて識別して遊技媒体を払い出す遊技装置の紙幣識別装置において、前記紙幣挿入部を閉塞する着脱式のカバーを設け、このカバーは、前記紙幣挿入部の前方からの押し圧によって前記紙幣挿入部へ係止する係止部を備え、前記カバーの取り外しは前記紙幣識別装置の前面側扉の施錠解除によって可能としたことを特徴とする遊技装置の紙幣識別装置。
【請求項２】
紙幣挿入口から挿入された紙幣を識別する紙幣識別装置と、この紙幣識別装置による識別に基づきメダルを払い出すメダル払い出し装置を備え遊技機に隣接設置されるメダル貸機において、前記紙幣挿入口を閉塞する着脱式のカバーを設け、このカバーは、前記紙幣挿入口の前方からの押し圧によって前記紙幣挿入口へ係止する係止部を備え、前記カバーの取り外しは前記メダル貸機の施錠解除によって可能としたことを特徴とする紙幣識別装置を備えたメダル貸機。
【請求項３】
紙幣挿入部から挿入された紙幣を識別する紙幣識別装置と、この紙幣識別装置による識別に基づきメダルを払い出すメダル払い出し装置を備え遊技機に隣接設置されるメダル貸機において、前記紙幣の挿入部は、紙幣挿入口と、この紙幣挿入口の近傍に設けた挿入適用紙幣の金種表示部とを備え、前記紙幣挿入口の閉塞部と前記金種表示部の隠蔽部を有する着脱式のカバーを設け、このカバーは、前記紙幣挿入部の前方からの押し圧によって前記紙幣挿入部へ係止し前記紙幣識別装置の前面側扉の施錠解除によって取り外す構成としたことを特徴とする紙幣識別装置を備えたメダル貸機。
【請求項４】
紙幣挿入部から挿入された紙幣を識別する紙幣識別装置と、この紙幣識別装置による識別に基づきメダルを払い出すメダル払い出し装置を備え遊技機に隣接設置されるメダル貸機において、前記紙幣挿入部は横方向に長い紙幣挿入口と、この紙幣挿入口の下側又は上側に挿入適用紙幣の金種表示部を備え、前記紙幣挿入口の閉塞部と前記金種表示部の隠蔽部を有する着脱式のカバーを設け、このカバーは、前記紙幣挿入部の前方からの押し圧によって前記紙幣挿入部へ弾性係止する係止部を備え、前記カバーの取り外しは前記紙幣識別装置の前面側扉の施錠解除によって前記係止部の係止を解除可能としたことを特徴とする紙幣識別装置を備えたメダル貸機。
【発明の詳細な説明】
【０００１】
【発明の属する技術分野】
本発明は、紙幣挿入口から挿入された紙幣を紙幣識別装置にて識別して遊技媒体を払い出す遊技装置の紙幣識別装置と、紙幣識別装置による識別に基づきメダルを払い出すメダル払い出し装置を備えたメダル貸機に関する。
【０００２】
【従来の技術】
挿入された紙幣を紙幣識別装置により識別してメダルを払い出すメダル払い出し装置を備えたメダル貸機は、スロットマシンやパチスロ機のようなメダル使用の遊技機相互間に配置されて使用されるため、台間メダル貸機又は単に台間機と称されることがある。先行技術として、紙幣識別器を内蔵しないタイプとして、紙幣識別器を外部設置する方式においては、メダル貸機と遊技機が交互に背合わせで並設されて島を構成し、メダル貸機の上部には紙幣識別器が設けられ、この紙幣識別器へ挿入され識別された紙幣を一方向へ搬送する紙幣搬送装置を島の内側の間隙に配置したものがある（例えば、特許文献１参照）。
【０００３】
また、スロットマシンやパチスロ機等の遊技機間に設置されるメダル貸機に紙幣識別器が内蔵されたタイプとしては、投入された紙幣をこの紙幣識別器で識別し、識別した真正紙幣をメダル貸機内の収納部へ収納する形態のものがある（例えば、特許文献２参照）。
【０００４】
更に、メダル貸機がパチスロ機の横に併設されて島を構成した既存タイプがあって、この既存のメダル貸機の上にメダル貸機用紙幣受入れ装置を設置し、このメダル貸機用紙幣受入れ装置の紙幣投入口へ投入された紙幣を搬送する搬送ラインを設置した搬送システム構成のものがある（例えば、特許文献３参照）。この特許文献３のものは、メダル貸機とメダル貸機用紙幣受入れ装置の双方に紙幣投入口を設け、通常は、搬送システム側のメダル貸機用紙幣受入れ装置の紙幣投入口へ紙幣を投入してメダル貸しを行うと共に搬送ラインによって紙幣を搬送するが、搬送システム側にトラブルが発生した場合には、切り換えスイッチによって搬送システム側の紙幣識別検知手段からの払出信号をメダル貸機に内蔵した既設の紙幣識別検知手段からの払出信号に切り換えるものである。
【０００５】
【特許文献１】
特開２００１−２３２０４６号公報（第２頁〜第４頁、図１）
【特許文献２】
特開２００２−０００９２４号公報（第４頁、図１）
【特許文献３】
特開２００１−１６２０２７号公報（段落番号０００４〜００２１、００３０、図１〜図６）
【０００６】
【発明が解決しようとする課題】
従来は、特許文献１のように、メダル貸機の上部に紙幣識別器が設けられて、この紙幣識別器からの紙幣を一方向へ搬送する紙幣搬送装置を島の内側の間隙に配置したタイプのものと、特許文献２のメダル貸機のように、紙幣識別器が内蔵されたタイプとがそれぞれ存在するが、このいずれのタイプも紙幣識別器が故障した場合、その故障した紙幣識別器への紙幣の挿入を阻止する対策は開示されていない。
【０００７】
また、特許文献３のものは、メダル貸機がパチスロ機の横に併設されて島を構成した既存タイプに、メダル貸機用紙幣受入れ装置と搬送ラインとで構成する搬送システムタイプを付設するものであるため、この両タイプが一つの遊技島に設けられている。この場合、搬送システム側にトラブルが発生した場合には、切り換えスイッチによって、搬送システム側の紙幣識別検知手段からの払出信号をメダル貸機に内蔵した既設の紙幣識別検知手段からの払出信号に切り換えるため、搬送システム側にトラブルが生じた場合にも、メダルの払い出し動作は行われるメリットはある。しかし、通常は搬送システム用のメダル貸機用紙幣受入れ装置へ紙幣を挿入するようにし、パチスロ機の横に併設されたメダル貸機は補助的に使う方式であるが、前者のメダル貸機用紙幣受入れ装置や後者のメダル貸機が故障した場合、その故障した紙幣識別器への紙幣の挿入を阻止する対策は開示されていない。
【０００８】
本発明はこのような点に鑑みて、紙幣挿入口から挿入された紙幣を紙幣識別装置にて識別して遊技媒体を払い出す遊技装置の紙幣識別装置において、故障やその他の理由により使用を中止した紙幣識別装置への紙幣の挿入ができないようにカバーを設けるものである。また紙幣識別装置による識別に基づきメダルを払い出すメダル払い出し装置を備えたメダル貸機において、故障やその他の理由により使用を中止した紙幣識別装置への紙幣の挿入ができないようにカバーを設けるものである。また、搬送システムタイプにおいて、その外部設置の紙幣識別装置が故障した場合にはその故障した紙幣識別装置への紙幣の挿入ができないようにカバーを設けるものである。更に、搬送システムタイプとスロットマシンやパチスロ機の横にメダル貸機が併設されたタイプが併設された遊技装置において、そのいずれか一方の紙幣識別装置が故障やその他の理由により使用を中止した紙幣識別装置への紙幣の挿入ができないようにカバーを設けるものである。
【０００９】
これによって、遊技者が故障やその他の理由により使用を中止した紙幣識別装置へ紙幣を挿入しないように保護する。そして、このカバーの取り付けの容易さを考慮し、また、このカバーの取り外しは、遊技装置の管理者等の特定者がメダル貸機の施錠解除をすることによって行えるようにし、遊技者によるカバーの取り外しを防止して、遊技装置の管理効果を図るものである。
【００１０】
【課題を解決するための手段】
本発明は、紙幣挿入部から挿入された紙幣を紙幣識別装置にて識別して遊技媒体を払い出す遊技装置の紙幣識別装置において、前記紙幣挿入部を閉塞する着脱式のカバーを設け、このカバーは、前記紙幣挿入部の前方からの押し圧によって前記紙幣挿入部へ係止する係止部を備え、前記カバーの取り外しは前記紙幣識別装置の前面側扉の施錠解除によって可能としたことを特徴とする遊技装置の紙幣識別装置である。
【００１１】
これによって、遊技者が故障やその他の理由により使用を中止した紙幣識別装置へ紙幣を挿入しないように保護できる。そして、このカバーは紙幣挿入部の前方からの押し圧によって紙幣挿入部へ係止するので、その取り付けが簡単であり、またこのカバーの取り外しは、紙幣識別装置の前面側扉の施錠解除によって行うため、遊技者によるカバーの取り外しを防止して遊技装置の管理効果を図ることができる。
【００１２】
本発明の遊技装置用メダル貸機は、紙幣挿入口から挿入された紙幣を識別する紙幣識別装置と、この紙幣識別装置による識別に基づきメダルを払い出すメダル払い出し装置を備え遊技機に隣接設置されるメダル貸機において、前記紙幣挿入口を閉塞する着脱式のカバーを設け、このカバーは、前記紙幣挿入口の前方からの押し圧によって前記紙幣挿入口へ係止する係止部を備え、前記カバーの取り外しは前記メダル貸機の施錠解除によって可能としたことを特徴とする。
【００１３】
これによって、遊技者が故障やその他の理由により使用を中止した紙幣識別装置へ紙幣を挿入しないように保護できる。そして、このカバーは紙幣挿入口の前方からの押し圧によって紙幣挿入口へ係止するので、このカバー係止構造が簡単であり、また、このカバーの取り外しは、メダル貸機の施錠解除によって行うため、遊技者によるカバーの取り外しを防止して遊技装置の管理効果を図ることができる。
【００１４】
また、本発明の遊技装置用メダル貸機は、紙幣の挿入部から挿入された紙幣を識別する紙幣識別装置と、この紙幣識別装置による識別に基づきメダルを払い出すメダル払い出し装置を備え、遊技機に隣接設置されるメダル貸機において、前記紙幣挿入部は、紙幣挿入口と、この紙幣挿入口の近傍に設けた挿入適用紙幣の金種表示部とを備え、前記紙幣挿入口の閉塞部と前記金種表示部の隠蔽部を有する着脱式のカバーを設け、このカバーは、前記紙幣挿入部の前方からの押し圧によって前記紙幣挿入部へ係止し前記紙幣識別装置の前面側扉の施錠解除により取り外す構成としたことを特徴とする。
【００１５】
このため、このカバーを取り付けていない状態では、金種表示部に￥１０００の表示があれば、遊技者はこれによって１０００円紙幣を紙幣挿入口へ挿入することが確認でき、異なる金種の紙幣を挿入することを防止できる。また、カバーによって紙幣挿入口と金種表示部を覆うことにより、遊技者が誤って紙幣挿入口へ紙幣を挿入することがなくなる。カバーの取り外しは、紙幣識別装置の前面側扉の施錠解除によって行うため、遊技者によるカバーの取り外しを防止して遊技装置の管理効果を図ることができる。
【００１６】
また、本発明の遊技装置用メダル貸機は、紙幣挿入部から挿入された紙幣を識別する紙幣識別装置と、この紙幣識別装置による識別に基づきメダルを払い出すメダル払い出し装置を備え、遊技機に隣接設置されるメダル貸機において、前記紙幣の挿入部は横方向に長い紙幣挿入口と、この紙幣挿入口の下側又は上側に挿入適用紙幣の金種表示部を備え、前記紙幣挿入口の閉塞部と前記金種表示部の隠蔽部を有する着脱式のカバーを設け、このカバーは、前記紙幣挿入部の前方からの押し圧によって前記紙幣挿入部へ弾性係止する係止部を備え、前記カバーの取り外しは前記紙幣識別装置の前面側扉の施錠解除によって前記係止部の係止を解除可能としたことを特徴とする。
【００１７】
このため、このカバーを取り付けていない状態では、金種表示部に￥１０００の表示があれば、遊技者はこれによって１０００円紙幣を紙幣挿入口へ挿入することが確認でき、異なる金種の紙幣を挿入することを防止できる。また、このカバーは紙幣挿入口の前方からの押し圧によって紙幣挿入口へ弾性係止するので、その取り付けが簡単であり、そして、このカバーの取り外しは、紙幣識別装置の前面側扉の施錠解除をして弾性係止部を外すことによって行うため、遊技者によるカバーの取り外しを防止して遊技装置の管理効果を図ると共に取り外し操作も簡単になる。
【００１８】
【発明の実施の形態】
次に、本発明の実施の形態について説明する。各図は本発明の実施形態を示しており、図１は紙幣識別装置内蔵タイプのメダル貸機を設置した遊技装置の正面図、図２は紙幣識別装置内蔵タイプのメダル貸機の正面斜視図、図３は紙幣識別装置内蔵タイプのメダル貸機の紙幣挿入部をカバーで塞いだ正面斜視図、図４は図２の紙幣識別装置の前面側扉の拡大正面図、図５は図３の紙幣識別装置の前面側扉の拡大正面図、図６は図５の中央部の縦断側面図、図７は図６の紙幣挿入部の拡大図、図８は図１の形態に紙幣識別装置外部設置タイプを設置した遊技装置の正面図、図９は外部設置タイプ紙幣識別装置と紙幣搬送装置との配置構成の平面図である。
【００１９】
以下、本発明の実施の形態を図に基づき説明する。１は遊技媒体としてメダルを使用するパチスロ機やスロットマシン等のような遊技機である。２は遊技機１の横に隣接するように遊技機１相互間に配置されるメダル貸機であり、台間メダル貸機とも称し、遊技機１の横に隣接するようにメダル貸機２が配置されて遊技装置Ｐの島を形成している。遊技機１とメダル貸機２は、遊技装置の島の外観形成を良好にするために、同一高さに形成されている。メダル貸機２は、上部に紙幣処理部１０、下部にメダル払い出し部２０、そして中間部に電装部３０を内蔵している。
【００２０】
紙幣処理部１０は、挿入された紙幣１００の真偽判別を行う紙幣識別装置１４と、識別した真正紙幣を貯える紙幣収納部１５を備えている。メダル貸機２は、紙幣識別装置１４の前面側を開閉できるように前面側扉１６を備えており、前面側扉１６には、紙幣識別装置１４に対応した前面側に紙幣挿入部１１を備えている。また、前面側扉１６には、電装部３０のＬＥＤや液晶等による表示器３０Ａに対応した前面側に表示部１７を備えている。前面側扉１６は、遊技装置の管理者が開閉できる施錠装置１８によって閉じられているが、前面側扉１６を開くことによって紙幣識別装置１４、紙幣収納部１５及び電装部３０の点検、修理や、紙幣収納部１５に収納された紙幣の回収等ができる。紙幣挿入部１１は、メダル貸機２の前面に開口した紙幣挿入口１２と紙幣挿入口１２の下側又は上側に挿入適用紙幣の金種表示部１３を備えている。図に示す形態では、紙幣挿入口１２の下側の傾斜面に挿入適用紙幣の金種表示部１３を設けており、この金種表示部１３の表示は、上向きの幅広の矢印とその中の￥１０００の標記とで構成している。紙幣処理部１０は、紙幣挿入口１２から挿入された紙幣１００の真偽判別を行う紙幣識別装置１４と、識別した真正紙幣を貯える紙幣収納部１５を備えている。メダル貸機２に適用可能な紙幣１００は、例えば、１０００円、２０００円、５０００円、１００００円の紙幣とすることもできる。
【００２１】
メダル払い出し部２０は、メダル払い出し装置２１とその上部に設けたメダル収納部２２を備え、メダル収納部２２へ収納されたメダルをメダル払い出し装置２１によって所定枚数払い出すものである。メダル収納部２２へのメダルの補給は、メダル収納部２２に対応してメダル貸機２の前面に設けた前面側扉２３を開くことにより可能である。前面側扉２３は、遊技装置の管理者が開閉できる施錠装置２４によって閉じられているが、前面側扉２３を開くことによって、メダル払い出し部２０の点検、修理等ができる。メダル払い出し装置２１は、メダル収納部２２の下端部において電動機機構によって回転する払い出し盤の回転によって、メダル収納部２２のメダルを１枚ずつ払い出す仕組みである。払い出されたメダルは、誘導樋２５を通って遊技機１の前面に設けたトレイ部へ排出される。
【００２２】
前面側扉１６は、合成樹脂を所定形状に成形して形成している。紙幣挿入部１１は、紙幣１００の挿入のし易さと、金種表示の見易さを考慮して、前面側扉１６に若干後方へ窪んだ状態に形成され、紙幣挿入部１１の中央部には、紙幣識別装置１４から前方へ延出した紙幣挿入ガイドトレイ１４Ａが挿入される横方向に長い紙幣挿入口１２が形成されている。前面側扉１６は合成樹脂製であるため、その補強として縦と横のリブ１６Ａを裏側に一体成形し、且つ、前面側扉１６の裏側に成形したボス１６Ｂに補強板１９を載せた状態で、補強板１９を前面側扉１６の裏側にビス３１で固定している。
【００２３】
表示部１７は、紙幣挿入口１２から挿入され紙幣識別装置１４にて識別して取り込まれた真正紙幣の金額、及び又は真正紙幣の金額に対応してメダル払い出し装置２１から払い出すメダル数を電装部３０の電気回路装置の表示出力によって表示する部分である。表示部１７は、その表示の見易さを考慮して、前面側扉１６に若干後方へ窪んだ状態に形成され、表示部１７の表示の仕方は、複数のＬＥＤによる表示や液晶表示等がある。
【００２４】
本発明では、故障やその他の理由により使用を中止した紙幣識別装置１４へ遊技者が紙幣を挿入しないように保護するために、紙幣識別装置１４の紙幣挿入部１１を閉塞するカバー４０を設けている。紙幣挿入部１１は紙幣挿入口１２のみでもよいが、図示した実施形態のように、紙幣挿入部１１に紙幣挿入口１２と金種表示部１３が設けられている場合には、このカバー４０は、紙幣挿入口１２と金種表示部１３との両方を覆って、紙幣挿入口１２を閉塞する閉塞部４１と、金種表示部１３の表示が前方から見えないように隠蔽する隠蔽部４２とを備えている。
【００２５】
カバー４０は、故障やその他の理由により使用を中止したメダル貸機２の紙幣識別装置１４へ紙幣が挿入されないようにするためのものである。それゆえ、遊技装置の管理者によって取り付けられ、そして取り外し可能であるが、遊技者によって取り外されない形態でなければならない。このため、カバー４０は、紙幣挿入部１１の全体を覆うように紙幣挿入部１１の窪みに略いっぱいに嵌る大きさに形成され、カバー４０の取り外しは、メダル貸機２の施錠装置１８の施錠解除によって前面側扉１６を開いた状態で、前面側扉１６の裏側から可能な構成としている。
【００２６】
本発明では、カバー４０は、取り付けが容易であり、且つ遊技者による取り外しが困難な構成である。このカバー４０の取り外しは、遊技装置の管理者等のような特定の者がメダル貸機２の施錠解除をすることによって行えるようにしており、遊技者によるカバー４０の取り外しを防止して、遊技装置の管理効果を図るものである。このため、カバー４０は、紙幣挿入部１１の前方からの押し圧によって紙幣挿入部１１へ弾性係止する係止部を備えた形態である。具体的には、カバー４０は合成樹脂製であり、その裏側に一体成形によって突出形成された係止部４３を上下に夫々２個ずつ設けている。そして、紙幣挿入口１２の上下部分には、この係止部４３が夫々係止する係止部４４を設けている。
【００２７】
カバー４０の裏側の係止部４３と紙幣挿入部１１の係止部４４との関係は、カバー４０が紙幣挿入口１２の前方から押し圧されたとき、その裏側の係止部４３の先端部に形成した紙幣挿入口１２の外側に向いた鉤部４３Ａが、紙幣挿入部１１の係止部４４を乗り越えるように係止部４３が内側に若干撓み、鉤部４３Ａが係止部４４を乗り越えた状態で係止部４３が弾性復帰して、係止部４４へ鉤部４３Ａが弾性係止するように構成されている。このため、カバー４０は、この係止が解除されなければ前方へ取り外しできない。この両係止部４３、４４の係止の解除は、遊技装置の管理者等の特定の者が施錠装置１８の施錠をキーによって解除して前面扉１６を開いた状態で行うように構成されており、遊技装置の管理者等の特定の者が、開いた前面側扉１６の裏側から係止部４３を紙幣挿入口１２の内側方向へその者の指でもって撓ませて鉤部４３Ａが係止部４４を乗り越える状態とし、この状態でカバー４０を前方へ押し圧することによってカバー４０の取り外しが可能である。このため、取り外し操作も簡単になる。
【００２８】
カバー４０の裏側には、紙幣挿入口１２を上下に挟む位置にリブ４５が形成され、カバー４０を補強している。このため、カバー４０を紙幣挿入口１２の前方からの押し圧によって紙幣挿入部１１へ取り付ける際に、強く押されてカバー４０が撓んだとき、このリブ４５が紙幣挿入部１１の窪みの前面に当接することによって、カバー４０の破損を防止する。
【００２９】
上記のタイプは、紙幣識別装置内蔵タイプのメダル貸機２が設けられた遊技装置に関するものである。図８、図９には、本発明が適用される他の形態として、紙幣識別装置外部設置タイプをメダル貸機２に併設した遊技装置を示している。以下、このタイプについて説明する。
【００３０】
図８及び図９において、図１〜図７のものと同符号の部分は同一部分を示すものである。この方式において、遊技機１の横に隣接するように遊技機１相互間にメダル貸機２が配置されて遊技装置Ｐの島を形成している。遊技機１とメダル貸機２は、遊技装置Ｐの島の外観形成を良好にするために同一高さに形成されている。メダル貸機２は、上記の構成と同様である。外部設置の紙幣識別装置は符号８０で示す。外部紙幣識別装置８０はメダル貸機２の上位置に配置されている。
【００３１】
紙幣識別装置８０で識別された真正紙幣１００は、紙幣識別装置８０の背面側に遊技装置Ｐに沿って配置した紙幣搬送装置５によって、金庫に相当する紙幣収納部７０へ向けて搬送される。
【００３２】
紙幣搬送装置５は、本出願人が先に出願した特願２００２‐１３７１３９号に開示されたものと同様に、図９に示すように、中継搬送装置４の複数と、紙幣識別装置８０で識別された真正紙幣１００を中継搬送装置４に合流させる合流装置３の複数とが、交互に配置された組み合わせによって構成されている。中継搬送装置４は、紙幣１００の入口側と出口側にそれぞれ一対ずつ設けた回転子に掛け渡された所定幅の一対のベルトによって、紙幣１００をその厚さ方向の両側から挟持して横長に立てた状態で搬送する形態である。これらの回転子は、電動機要素によって駆動される。
【００３３】
合流装置３は、上流側の中継搬送装置４から搬送されてくる紙幣１００を、その厚さ方向の両側から挟持して横長に立てた状態で下流側の中継搬送装置４へ搬送するための一対の回転子と、紙幣識別装置８０で識別された真正紙幣１００を横長に立てた状態で下流側の中継搬送装置４へ搬送するための回転子とを備えている。これらの回転子は、電動機要素によって駆動される。
【００３４】
紙幣識別装置８０は、その前面がメダル貸機２の紙幣挿入部１１と同様の紙幣挿入部１１Ａを備えた前面側扉８１によって開閉される構成である。そして、紙幣挿入部１１Ａは紙幣挿入部１１と同様にカバー４０が上記と同様の構成によって着脱できる構成である。このため、カバー４０が紙幣挿入部１１Ａに取り付けられる構成は、カバー４０が紙幣挿入部１１に取り付けられるために設けた係止部４３とその先端部の鉤部４３Ａ、及び紙幣挿入口１２の内側に設けた係止部４４と同様である。このため、紙幣挿入部１１Ａに取り付ける以下の構成の説明においても、それと同じ符号を用いることとする。即ち、カバー４０を紙幣挿入部１１Ａに向けて押し圧することによって、紙幣挿入部１１Ａの係止部４４にカバー４０に設けた係止部４３の先端部の鉤部４３Ａが弾性係止する構成である。
【００３５】
図１〜図７の形態では、各メダル貸機２の紙幣収納部１５に収納された紙幣を管理者が回収する手間が掛かる。しかし、この図８、図９に示す紙幣識別装置外部設置タイプでは、紙幣１００は、紙幣搬送装置５によって遊技装置の島の端部に設けた紙幣収納部７０に収納されるため、紙幣の回収手間が簡素化される効果がある。このため、図８、図９の形態では、通常、遊技機１間に設置したメダル貸機２の紙幣識別装置１４は不使用状態にして、紙幣識別装置外部設置タイプの紙幣識別装置８０を使用する状態とする。この場合、紙幣挿入部１１Ａへ挿入された紙幣が識別され、その紙幣が真正紙幣である場合には、メダル貸機２のメダル収納部２２へ収納されたメダルをメダル払い出し装置２１によって所定枚数払い出す制御構成である。
【００３６】
遊技機１間に設置したメダル貸機２の紙幣識別装置１４を不使用状態にするためには、前記のようにカバー４０が紙幣挿入部１１へ取り付けられる。もし、紙幣識別装置外部設置タイプの紙幣識別装置８０が故障した場合は、紙幣識別装置８０の紙幣挿入部１１Ａにカバー４０を取り付け、その下方のメダル貸機２のカバー４０を取り外して、このメダル貸機２の紙幣識別装置１４への紙幣の挿入を可能とする。この場合、紙幣挿入部１１と１１Ａは、同様な構成であるため、下方のメダル貸機２から取り外したカバー４０を、その上方の紙幣識別装置８０の紙幣挿入部１１Ａに取り付けることができる。このようにすれば、カバー４０を兼用でき、カバー４０の数も少なくて済み、カバー４０の管理も簡単になる。
【００３７】
紙幣識別装置８０の紙幣挿入部１１Ａに取り付けたカバー４０は、紙幣識別装置８０の前面扉８１に設けた施錠装置８２の施錠を解除して前面側扉８１を開いた状態で、遊技装置の管理者等の特定者が、開いた前面側扉８１の裏側から係止部４３を紙幣挿入口１２の内側方向へその者の指でもって撓ませて鉤部４３Ａが係止部４４を乗り越える状態とし、この状態でカバー４０を前方へ押し圧することによってカバー４０の取り外しが可能である。このため、取り外し操作も簡単になる。
【００３８】
本発明は、上記のように、紙幣識別装置内蔵タイプの紙幣挿入部１１又は紙幣識別装置外部設置タイプの紙幣挿入部１１Ａに設けた横方向に長い紙幣挿入口１２の下側又は上側には、挿入適用紙幣の金種表示部１３を設け、着脱式のカバー４０は紙幣挿入口１２の閉塞部４１と金種表示部１３の隠蔽部４２を有し、このカバー４０は、紙幣挿入口１２の前方からの押し圧によって紙幣挿入部１１又は１１Ａへ弾性係止する係止部４３を備えている。そして、カバー４０の取り外しは、メダル貸機２の施錠解除によって可能としたことを特徴とする。上記実施形態では、このメダル貸機２の施錠解除は、紙幣識別装置１４又は８０の前面側扉１６又は８１の施錠解除によって行う構成としている。
【００３９】
これによって、カバー４０を取り付けていない状態では、金種表示部に￥１０００の表示があれば、遊技者はこれによって１０００円紙幣を紙幣挿入口へ挿入することが確認でき、異なる金種の紙幣を挿入することを防止できる。また、このカバー４０は紙幣挿入口の前方からの押し圧によって紙幣挿入口へ係止するので、その取り付けが簡単であり、そして、このカバー４０の取り外しは、メダル貸機２の施錠解除によって行うため、遊技者によるカバー４０の取り外しを防止して遊技装置の管理効果を図ることができるものとなる。
【００４０】
上記の形態では、紙幣挿入口１２を略水平状態で横方向に開口させているが、紙幣挿入口１２を縦方向に開口させた形態でもよい。また、上記実施形態では遊技媒体としてメダルを使用するものであるが、遊技機１が遊技媒体としてパチンコ球を使用するパチンコ機である場合に使用される紙幣識別装置においても同様の作用効果を奏することができる。このため、本発明は、上記実施形態に限定されず、本発明の技術的範囲を逸脱しない限り種々の変更が考えられ、それに係る種々の実施形態を包含するものである。
【００４１】
【発明の効果】
本発明によって、遊技者が故障した紙幣識別装置へ紙幣を挿入しないように保護できる。そして、このカバーは紙幣挿入部の前方からの押し圧によって紙幣挿入部へ係止するので、その取り付けが簡単であり、また、このカバーの取り外しは、遊技装置の管理者等による施錠解除によって行うため、遊技者によるカバーの取り外しを防止して遊技装置の管理効果を図ることができる。
【００４２】
請求項２の発明によって、遊技者が故障やその他の理由により使用を中止した紙幣識別装置へ紙幣を挿入しないように保護できる。そして、このカバーは紙幣挿入口の前方からの押し圧によって紙幣挿入口へ係止するので、このカバー係止構造が簡単であり、また、このカバーの取り外しは、メダル貸機の施錠解除によって行うため、遊技者によるカバーの取り外しを防止して遊技装置の管理効果を図ることができる。
【００４３】
また、請求項３の発明によって、このカバーを取り付けていない状態では、金種表示部に￥１０００の表示があれば、遊技者はこれによって１０００円紙幣を紙幣挿入口へ挿入することが確認でき、異なる金種の紙幣を挿入することを防止できる。また、カバーによって紙幣挿入口と金種表示部を覆うことにより、遊技者が誤って紙幣挿入口へ紙幣を挿入することがなくなる。カバーの取り外しは、紙幣識別装置の前面側扉の施錠解除によって行うため、遊技者によるカバーの取り外しを防止して遊技装置の管理効果を図ることができる。
【００４４】
また、請求項４の発明によって、このカバーを取り付けていない状態では、金種表示部に￥１０００の表示があれば、遊技者はこれによって１０００円紙幣を紙幣挿入口へ挿入することが確認でき、異なる金種の紙幣を挿入することを防止できる。また、このカバーは紙幣挿入口の前方からの押し圧によって紙幣挿入口へ弾性係止するので、その取り付けが簡単であり、そして、このカバーの取り外しは、紙幣識別装置の前面側扉の施錠解除をして弾性係止部を外すことによって行うため、遊技者によるカバーの取り外しを防止して遊技装置の管理効果を図ると共に、取り外し操作も簡単になる。
【図面の簡単な説明】
【図１】本発明に係る紙幣識別装置内蔵タイプのメダル貸機を設置した遊技装置の正面図である。
【図２】本発明に係る紙幣識別装置内蔵タイプのメダル貸機の正面斜視図である。
【図３】本発明に係る紙幣識別装置内蔵タイプのメダル貸機の紙幣挿入部をカバーで塞いだ正面斜視図である。
【図４】図２の紙幣識別装置の前面側扉の拡大正面図である。
【図５】図３の紙幣識別装置の前面側扉の拡大正面図である。
【図６】図５の中央部の縦断側面図である。
【図７】図６の紙幣挿入部の拡大図である。
【図８】図１の紙幣識別装置内蔵タイプに紙幣識別装置外部設置タイプを併設した遊技装置の正面図である。
【図９】本発明に係る外部設置タイプ紙幣識別装置と紙幣搬送装置との配置構成の平面図である。
【符号の説明】
１・・・遊技機
２・・・メダル貸機
３・・・合流装置
４・・・中継搬送装置
５・・・紙幣搬送装置
１０・・紙幣処理部
１１・・紙幣挿入部
１２・・紙幣挿入口
１３・・金種表示部
１４・・紙幣識別装置
１５・・紙幣収納部
１６・・前面側扉
１７・・表示部
１８・・施錠装置
２０・・メダル払い出し部
２１・・メダル払い出し装置
２２・・メダル収納部
３０・・電装部
４０・・カバー
４１・・閉塞部
４２・・隠蔽部
４３、４４・・係止部
８０・・外部紙幣識別装置
８１・・前面側扉
８２・・施錠装置
１００・・紙幣
【図１】
2004305612.tif 000003
【図２】
2004305612.tif 000004
【図３】
2004305612.tif 000005
【図４】
2004305612.tif 000006
【図５】
2004305612.tif 000007
【図６】
2004305612.tif 000008
【図７】
2004305612.tif 000009
【図８】
2004305612.tif 000010
【図９】
2004305612.tif 000011